(57)【特許請求の範囲】
【請求項１】
中空壁に形成された配線器具取付孔の互いに対向する一対の開口端に沿って中空壁の裏面側にそれぞれ当接する一対の当接片と、これらの当接片の両側同士を連結する一対の架橋部とによって枠状に形成されているとともに、前記各当接片における前記配線器具取付孔の内側に位置する部分に配線器具取付用ねじのねじ孔がそれぞれ形成されているとともに、前記配線器具取付用フレームを構成する各当接片における内側縁の前記各架橋部近傍に、底壁とこの底壁の互いに対向する両端縁に沿って立設する一対の側壁とからなる端面コ字形の保護カバーの各側壁における開放端縁の両端に突設された係止爪の挿通溝とその外側位置に前記係止爪の第１の係合部とがそれぞれ形成されている配線器具取付用フレームにおいて、前記各架橋部が前記各当接片の両側部から折り曲げられた折曲部に沿って形成されているとともに裏側方向の端縁には前記第１の係合部と対向する位置に保護カバーに突設された前記各係止爪の第２の係合部がそれぞれ突設されていることを特徴とする配線器具取付用フレーム。
【発明の詳細な説明】
【０００１】
【発明の属する技術分野】
本発明はスイッチやコンセントなどの配線器具を壁、殊に中空壁に取り付けるために用いる配線器具取付用フレームに関するものである。
【０００２】
【従来の技術】
従来、建築構造材に壁材を張設して壁の内部を中空とした壁構造が多用されている。
【０００３】
そして、前記中空壁に少ない行程で容易に取り付けることが可能な配線器具の取付手段として例えば実開平２−１３３１２４号公報、特開平４−４２７２１号公報などに提示されているものが知られている。
【０００４】
これらの公報に提示されている取付手段は図１４に示すように、中空壁１ａに形成された配線器具取付孔２ａの裏面に配置したコ字形の配線器具取付用フレーム３ａと前記取付孔２ａの表面に配置した配線器具４ａを取り付けた取付枠５ａとに係着させた配線器具取付用ねじ６ａを螺締し、配線器具取付用フレーム３ａと取付枠５ａとで中空壁１ａを挟持することによって固定するものである。
【０００５】
本取付手段では配線器具取付用フレームとしてコ字形のものを用いていることから配線器具取付用フレーム３ａ自身の小型化や取付孔２ａを介して中空壁１ａ内に差し込みやすいなどの点で取扱いが容易であるなどの利点を有している。
【０００６】
【発明が解決しようとする課題】
しかしながら、中空壁１ａの裏面に配置される配線器具取付用フレーム３ａがコ字形であるため、取付孔２ａの周囲のほぼ半分に配置されることになり、取付が不充分になる場合が生じ、また、取付時及び配線器具４ａの交換時の場合などに配線器具取付用フレーム３ａを中空壁１ａの内部に落下させてしまうという問題がある。
【０００７】
更に、配線器具取付用フレーム３ａがコ字形であるため配線器具４ａの裏面全体を覆う保護カバー７ａを配線器具取付用フレーム３ａに取り付けることができない。
【０００８】
そのため、配線器具４ａを取付けた取付枠５ａに保護カバー７ａを取り付けなければならず取付枠５ａを中空壁１ａに取り付ける際に保護カバー７ａが邪魔して取付作業が困難であるとともに保護カバー７ａを取付けた状態で配線器具４ａにコード８ａを接続することができないなどの問題もある。
【０００９】
本発明は斯かる問題点を解決するためになされたものであり、配線器具を少ない部品点数で構成可能とするとともに簡単な作業で確実に中空壁に取り付けることが可能なことは云うまでもなく、取付時及び配線器具の交換時などに中空壁の内部に落下させてしまうという心配のない配線器具取付用フレームを提供するものである。
【００１０】
【課題を解決するための手段】
前記課題を解決するためになされた本発明である配線器具取付用フレームは、中空壁に形成された配線器具取付孔の互いに対向する一対の開口端に沿って中空壁の裏面側にそれぞれ当接する一対の当接片と、これらの当接片の両側同士を連結する一対の架橋部とによって枠状に形成されているとともに、前記各当接片における前記配線器具取付孔の内側に位置する部分に配線器具取付用ねじのねじ孔がそれぞれ形成されているとともに、前記配線器具取付用フレームを構成する各当接片における内側縁の前記各架橋部近傍に、底壁とこの底壁の互いに対向する両端縁に沿って立設する一対の側壁とからなる端面コ字形の保護カバーの各側壁における開放端縁の両端に突設された係止爪の挿通溝とその外側位置に前記係止爪の第１の係合部とがそれぞれ形成されている配線器具取付用フレームにおいて、前記各架橋部が前記各当接片の両側部から折り曲げられた折曲部に沿って形成されているとともに裏側方向の端縁には前記第１の係合部と対向する位置に保護カバーに突設された前記各係止爪の第２の係合部がそれぞれ突設されていることを特徴とする。
【００１１】
底壁とこの底壁の互いに対向する両端縁に沿って立設する一対の側壁とからなる端面コ字形の保護カバーを裏面側に付設することにより便利なものとすることができる。
【００１２】
更に、前記配線器具取付用フレームを構成する各当接片における内側縁の前記各架橋部近傍にそれぞれ形成した第１の係合部、または各当接片の両側部から折り曲げられた折曲部に沿って形成された各架橋部の裏側方向の端縁における前記第１の係合部と対向する位置に突設された第２の係合部に、保護カバーの各側壁における開放端縁の両端に突設された係止爪を第１の係合部の内側にそれぞれ形成した挿通溝を介して係止することにより、保護カバーを簡単且つ確実に着脱することができる。
【００１３】
【発明の実施の形態】
次に本発明の実施の形態について説明する。
【００１４】
図１は本発明の好ましい実施の形態の一つを示すものであり、配線器具取付用フレーム１は、中空壁２に形成された配線器具取付孔３の上下方向において互いに対向する一対の開口端３１，３２に沿って中空壁２の裏面側にそれぞれ当接する一対の当接片１１，１２と、これらの当接片１１，１２の両側同士を連結する一対の架橋部１３，１４とによって枠状に形成されている。
【００１５】
また、前記各当接片１１，１２における配線器具取付孔３の内側に位置する部分に配線器具４の取付用ねじ４１，４２のねじ孔１５，１６がそれぞれ形成されている。
【００１６】
そして、配線器具取付用フレーム１の裏面側に付設される保護カバー５は中央に接続コード６の挿通孔５１が形成された前記配線器具取付用フレーム１の配線器具取付孔３とほぼ同型の底壁５２と、この底壁５２の互いに対向する両端縁に沿って立設する一対の側壁５３，５４とからなる端面コ字形に形成されているとともに、各側壁５３，５４における開放端縁５３１，５４１の両端に係止爪５３２，５３３および５４２，５４３がそれぞれ突設されて、例えば適宜の可撓性および弾性を有する適宜厚さの合成樹脂を用いて一体に形成される。
【００１７】
また、配線器具取付用フレーム１の当接片１１，１２の両側同士を連結する一対の架橋部１３，１４は、前記各当接片１１，１２の両側部から折り曲げられた折曲部１１１，１２１および１１２，１２２に沿って下方に向けて且つ内側部が前記保護カバー５の各係止爪５３２（５３３  ，５４２，５４３）の高さに等しい幅を有して垂設されている。
【００１８】
そして、前記配線器具取付用フレーム１の各当接片１１，１２における内側縁にはその各架橋部１３，１４の近傍に、保護カバー５に突設された係止爪５３２，５３３および５４２，５４３の挿通溝１１３，１１４および１２３，１２４が形成されており、更に、これらの挿通溝１１３，１１４および１２３，１２４の外側には保護カバー５に突設された係止爪５３２，５３３および５４２，５４３を係止するための第１の係合部１１５，１２５および１１６，１２６がそれぞれ形成されている。
【００１９】
更にまた、各架橋部１３，１４の裏面方向の端縁１３１，１４１には第１の係合部１１５，１２５および１１６，１２６と対向する位置に保護カバー５に突設された係止爪５３２，５３３および５４２，５４３を係止するための突起状を呈する第２の係合部１１７，１２７および１１８，１２８がそれぞれ突設されている。
【００２０】
次に、前記構成を有する配線器具取付用フレーム１を用いた配線器具の取付方法について説明する。
【００２１】
図２乃至図５は前記配線器具取付用フレーム１を用いて配線器具４を中空壁２に取り付ける場合の使用方法の一例、殊に保護カバー５を使用しない場合の使用方法の一例を示すものであり、最初に図２に示すように構造物２１と中空壁２との間に形成された中空部２２に配設された配線コード７の接続端を中空壁に形成された配線器具取付孔３から取り出し、これを配線器具取付用フレーム１の開口部１７を通過させた後、配線器具４に接続する。
【００２２】
次に、配線コード７を接続した配線器具４の取付枠４５の例えば上方に位置するねじ挿通孔４３に差し込んだ配線器具取付用ねじ４１を、配線器具取付用フレーム１の上方に位置するねじ孔１５に螺着して仮止めする。
【００２３】
そして、配線器具取付用フレーム１を下方から差し込んで配線器具取付孔３内に挿入し、図３に示すように当接片１１，１２を中空壁２の上下方向に互いに対向する一対の開口端３１，３２に沿う裏面側にそれぞれ配置する。
【００２４】
次いで、図４に示すように前記配線器具取付用ねじ４１をある程度の強さまで締め付けて配線器具取付用フレーム１と取付枠４５とで中空壁２を挟持することによって仮止めし、更に、図５に示すように配線器具取付用ねじ４１を下方に位置するねじ挿通孔４４に差し込んで配線器具取付用フレーム１の上方に位置するねじ孔１５に螺着するとともに、これらの上下２本の配線器具取付用ねじ４１，４２を螺締して配線器具４が取付けられた取付枠４５を中空壁２に取り付ける。
【００２５】
以上のように、本実施の形態によれば、配線器具４を少ない部品点数で構成可能とするとともに簡単な作業で確実に中空壁２に取り付けることが可能である。
【００２６】
また、図６に示すように配線器具４の取付時或いは交換時などにおいて取付用ねじ４１，４２を外したとしても、配線器具取付用フレーム１は先端を中空壁２の外側に配置させた配線器具４に先端を接続して中空部２２に配設された配線コード７が開口部１７に挿通されているので、取り外された配線器具取付用フレーム１は配線コード７により支持されることから構造物２１と中空壁２との間に形成された中空部２２に落下する心配がない。
【００２７】
図７は、本発明である配線器具取付用フレーム１に保護カバー５を付設した場合の一例を示すものであり、係止爪５３２，５３３および５４２，５４３を、配線器具取付用フレーム１の各当接片１１，１２における内側縁の各架橋部１３，１４の近傍に形成された第１の係合部１１５，１２５および１１６，１２６にそれぞれ係合させたものである。
【００２８】
係止爪５３２，５３３および５４２，５４３の、第１の係合部１１５，１２５および１１６，１２６への係合は、保護カバー５の両側壁５３および５４を指で挟んで互いに内側方向へ押圧して撓ませ、係止爪５３２，５４２および５３３，５４３を、配線器具取付用フレーム１の各当接片１１，１２の内側縁に形成された第１の係合部１１５，１１６および１２５，１２６の内方に形成された挿通溝１１３，１１４および１２３，１２４に裏面側からそれぞれ挿通させて表側へと差込み、前記押圧力を解除して側壁５３，５４を架橋部１３，１４の内側に圧接支持させると同時に係止爪５３２，５４２および５３３，５４３を、第１の係合部１１５，１１６および１２５，１２６にそれぞれ係合させればよく、きわめて簡単に且つ確実に付設することができる。
【００２９】
また、このようにして付設した保護カバー５は取付時と全く逆の操作によりきわめて簡単に配線器具取付用フレーム１から取り外すことができる。
【００３０】
一方、図８および図９は、保護カバー５の係止爪５３２，５３３および５４２，５４３を、各架橋部１３，１４の裏側方向の端縁１３１，１４１に突設された突起状を呈する第２の係合部１１７，１２７および１１８，１２８にそれぞれ係合することにより保護カバー５を配線器具取付用フレーム１に付設した場合を示すものである。
【００３１】
保護カバー５の取付方法は前記第１の係合部１１５，１２５および１１６，１２６に係合させる場合とほぼ同様であるが、両側壁５３および５４を互いに内側方向へ押圧して撓ませた状態で挿通溝１１３，１２３および１１４，１２４に裏面側からそれぞれ挿通させた係止爪５３２，５３３および５４２，５４３を、第１の係合部１１５，１２５および１１６，１２６を通過させてから前記押圧力を解除して側壁５３，５４を架橋部１３，１４の内側に圧接支持させる同時に第２の係合部１１７，１２７および１１８，１２８にそれぞれ係合させる。
【００３２】
このようにして保護カバー５を第２の係合部１１７，１１８および１２７，１２８にそれぞれ係合させる場合は、第１の係合部１１５，１１６および１２５，１２６に係合させる場合に比べて保護カバー５を中空壁２の奥部に配置することができるので、使用箇所に応じて適宜選択して使用すると良い。
【００３３】
図１０乃至図１３は前記保護カバー５を取付けた配線器具取付用フレーム１を中空壁２に取り付ける場合を示す行程図であるが、構造物２１と中空壁２との間に形成された中空部２２に配設された配線コード７の接続端を中空壁に形成された配線器具取付孔３から取り出し、これを底壁５２の中央に形成された挿通孔５１を挿通させて、配線器具４に接続することを除いて、前記図２乃至図５に示した保護カバー５を用いない場合と同様の操作で簡単に取り付けることができ、同様の作用・効果を奏する。
【００３４】
尚、前記実施の形態では、中空壁２に形成された配線器具取付孔３の上下方向において互いに対向する一対の開口端３１，３２に沿って中空壁２の裏面側にそれぞれ当接する一対の当接片１１，１２と、これらの当接片１１，１２の両側同士を連結する一対の架橋部１３，１４とによって枠状に形成される場合を示したが、中空壁に形成された配線器具取付孔の左右方向において互いに対向する一対の開口端に沿って中空壁の裏面側にそれぞれ当接する一対の当接片と、これらの当接片の上下同士を連結する一対の架橋部とによって枠状に形成される場合（図示せず）についても同様に実施することができることは云うまでもない。
【００３５】
【発明の効果】
以上のように本発明は、中空壁に形成された配線器具取付孔の全周囲に沿って裏面に配置されることになり、確実に配線器具を中空壁に取り付けることができるとともに、各当接片における前記配線器具取付孔の内側に位置する部分に配線器具取付用ねじのねじ孔がそれぞれ形成されている構成によってきわめて簡単な作業で取付、取外しが可能である。
【００３６】
また、全体が枠状に形成されることから配線コードを挿通させておくことにより、取付時および配線器具の交換時の場合などに中空壁と構築物との間に形成された中空部に落下させてしまうという心配がない。
【００３７】
更に、本発明は端面コ字形の保護カバーが裏面側に付設することができるので配線器具に保護カバーを付設した場合のように中空壁に取り付ける際に保護カバーが邪魔して取付作業が困難であるとか、保護カバーを付設した状態では配線コードを接続することができないので取り外した状態で接続しなければならないなどの問題もない。
【００３８】
更にまた、保護カバーの各側壁における開放端縁の両端に突設された係止爪を、配線器具取付用フレームを構成する各当接片における内側縁の各架橋部近傍に、第１の係合部、或いは各当接片の両側部から折り曲げられた折曲部に沿って形成されている各架橋部の裏側方向の端縁における前記第１の係合部と対向する位置に突設されている第２の係合部にそれぞれ係合させることにより保護カバーを取付深さを変化させて簡単且つ確実に着脱することができる。
【図面の簡単な説明】
【図１】本発明の好ましい実施の形態の一つを示す施工状態を示す分解斜視図。
【図２】図１に示した実施の形態における保護カバーを用いない場合の施工状態を示す説明図。
【図３】図１に示した実施の形態における保護カバーを用いない場合の施工状態を示す説明図。
【図４】図１に示した実施の形態における保護カバーを用いない場合の施工状態を示す説明図。
【図５】図１に示した実施の形態における保護カバーを用いない場合の施工状態を示す説明図。
【図６】図１に示した実施の形態における保護カバーを用いない場合の施工状態を示す説明図。
【図７】図１に示した実施の形態における保護カバーを付設した状態を示す斜視図。
【図８】図１に示した実施の形態における保護カバーを異なる位置に付設した状態を示す斜視図。
【図９】図８の一部を切截した状態を示す側面図。
【図１０】図１に示した実施の形態における保護カバーを付設した場合の施工状態を示す説明図。
【図１１】図１に示した実施の形態における保護カバーを付設した場合の施工状態を示す説明図。
【図１２】図１に示した実施の形態における保護カバーを付設した場合の施工状態を示す説明図。
【図１３】図１に示した実施の形態における保護カバーを付設した場合の施工状態を示す説明図。
【図１４】従来例を示す説明図。
【符号の説明】
１…配線器具取付用フレーム、２…中空孔、３…配線器具取付孔、５…保護カバー、１１…当接片、１２…当接片、１３…架橋部、１４…架橋部、１５…ねじ孔、１６…ねじ孔、３１…開口端、３２…開口端、４１…配線器具取付用ねじ、４２…配線器具取付用ねじ、５２…底壁、５３…側壁、５４…側壁、１１５，１１６，１２５，１２６…第１の係合部、１１７，１１８，１２７，１２８…第２の係合部、５３１…開放端縁、５４１…開放端縁、５３２，５３３，５４２，５４３…係止爪。
【図１】
0003718826.tif 000002
【図２】
0003718826.tif 000003
【図３】
0003718826.tif 000004
【図４】
0003718826.tif 000005
【図５】
0003718826.tif 000006
【図６】
0003718826.tif 000007
【図７】
0003718826.tif 000008
【図８】
0003718826.tif 000009
【図９】
0003718826.tif 000010
【図１０】
0003718826.tif 000011
【図１１】
0003718826.tif 000012
【図１２】
0003718826.tif 000013
【図１３】
0003718826.tif 000014
【図１４】
0003718826.tif 000015